(57)【要約】      （修正有）【課題】稼動が停止するときに吸水フィルターが吸水することを防止することができるフィルター装置及びこれを備えた加湿器を提供する。【解決手段】フィルター装置は、吸水フィルターユニット２と駆動ユニット３とを備える。吸水フィルターユニット２は、下端が常に水槽に水没するように水槽９１の上方に回転可能に設けられる吸水フィルター２１と、吸水フィルター２１の一部を覆うように設けられるカバーケース２２とを有する。駆動ユニット３は、吸水フィルター２１を回転させる駆動モジュールを有する。駆動ユニット３は、加湿器９が稼動するときは、吸水フィルター２１が駆動モジュールの駆動により回転するようにし、加湿器９が稼動しないときは、カバーケース２２が吸水フィルター２１の下端に位置するように吸水フィルター２１を所定の位置に止めることにより、カバーケース２２で吸水フィルター２１と水槽９１内の水とを隔離する。【選択図】図１
0003193815.tif 000002
【実用新案登録請求の範囲】
【請求項１】
貯水用水槽を有する加湿器に用いられるフィルター装置であって、
下端が常に前記水槽の水に沈没するように該水槽の上方に配置され、かつ回転可能に設けられる吸水フィルターと、該吸水フィルターの一部を覆うように前記吸水フィルターに設けられるカバーケースとを有する吸水フィルターユニットと、
前記吸水フィルターを回転させるように駆動する駆動モジュールを有する駆動ユニットとを備え、
前記駆動ユニットは、前記加湿器が稼動するときは、前記吸水フィルターが前記駆動モジュールの駆動によって回転するようにし、かつ前記加湿器の稼動が停止するときは、前記カバーケースが前記吸水フィルターの下端に位置するように前記吸水フィルターを所定の位置に止めることにより、当該カバーケースで前記吸水フィルターと前記水槽内の水とを隔離するように構成されることを特徴とするフィルター装置。
【請求項２】
前記駆動ユニットは、前記吸水フィルターの回転位置を検知することができる位置検出モジュールを更に有し、前記位置検出モジュールは、前記吸水フィルターの回転によって前記カバーケースが前記吸水フィルターの下端に移動されることを検知したとき、前記駆動モジュールの駆動を停止させることによって前記吸水フィルターの回転を止めることを特徴とする請求項１に記載のフィルター装置。
【請求項３】
前記位置検出モジュールは磁気センサーであり、前記吸水フィルターには前記位置検出モジュールが検知可能な磁石が設けられていることを特徴とする請求項２に記載のフィルター装置。
【請求項４】
前記駆動モジュールは駆動側ギアを有し、前記吸水フィルターユニットは、前記吸水フィルターを取り囲むように設けられたフレームを有し、該フレームには、前記駆動モジュールの前記駆動側ギアと噛み合うギアが設けられているとを特徴とする請求項１〜請求項３のいずれか一項に記載のフィルター装置。
【請求項５】
前記カバーケースが前記吸水フィルターの下端に位置するとき、前記カバーケースの上端縁は前記水槽の水面より高いことを特徴とする請求項１〜請求項４のいずれか一項に記載のフィルター装置。
【請求項６】
請求項１〜請求項５のいずれか一項に記載のフィルター装置を備える加湿器。
【考案の詳細な説明】
【技術分野】
【０００１】
本考案は、加湿器に関し、特には加湿器に用いられるフィルター装置に関するものである。
【背景技術】
【０００２】
室内気の湿度を調整する加湿器は、例えば台湾登録実用新案第Ｍ３９７５００号公報（特許文献１）に示されるように、水槽と、下端が常に水槽の水に沈没するように水槽の上方に設けられる吸水フィルターとを備える。その加湿器は、水を含んだ吸水フィルターに空気を通過させることにより空気に湿気を含ませる気化式加湿器である。
【０００３】
従来の吸水フィルターを備えた加湿器において、その稼動が停止されても、吸水フィルターの下端が水没した状態が続くので、吸水フィルターが水槽内の水を吸収し続け、かつ吸水フィルター全体が常に湿った状態になっている。そのため、カビや細菌が繁殖しやすく、汚れやすい。また、常に湿った状態になっていることにより、吸水フィルターの劣化が加速される。
【先行技術文献】
【特許文献】
【０００４】
【特許文献１】台湾登録実用新案第Ｍ３９７５００号公報
【考案の概要】
【考案が解決しようとする課題】
【０００５】
本考案は、従来技術の問題を解決すために考案したものであり、その目的は、稼動が停止するときに吸水フィルターが水槽の水を吸収することを防止することができる、フィルター装置及びこれを備えた加湿器を提供することにある。
【課題を解決するための手段】
【０００６】
上記の目的を達成するため、本考案は以下のようなフィルター装置を提供する。本考案のフィルター装置は、所定の水位まで貯水可能な水槽を有する加湿器に用いられる。該フィルター装置は、吸水フィルターユニットと駆動ユニットとを備えてなる。吸水フィルターユニットは、下端が常に前記水槽に水没するように前記水槽の上方に配置され、かつ回転可能に設けられる吸水フィルターと、前記吸水フィルターの一部を覆うように前記吸水フィルターに設けられるカバーケースとを有する。前記駆動ユニットは、前記吸水フィルターを回転させるように駆動する駆動モジュールを有する。前記駆動ユニットは、前記加湿器が稼動するときは、前記吸水フィルターが前記駆動モジュールの駆動により回転するようにし、前記加湿器の稼動が停止するときは、前記カバーケースが前記吸水フィルターの下端に位置するように前記吸水フィルターを所定の位置に止めることにより、当該カバーケースにで前記吸水フィルターと前記水槽内の水と隔離するように構成されている。
【０００７】
また、本考案に係るフィルター装置において、前記駆動ユニットは、前記吸水フィルターの回転位置を検知することができる位置検出モジュールを更に有し、前記位置検出モジュールは、前記吸水フィルターの回転によって前記カバーケースが前記吸水フィルターの下端に移動されることを検知したとき、前記駆動モジュールの駆動を停止させることにより、前記吸水フィルターの回転を止めるように構成されていることが好ましい。
【０００８】
また、前記位置検出モジュールは磁気センサーであり、前記吸水フィルターには、前記位置検出モジュールが検知可能な磁石が設けられていることが好ましい。
【０００９】
また、前記駆動モジュールは駆動側ギアを有し、前記吸水フィルターユニットは、前記吸水フィルターを取り囲むように設けられたフレームを有し、前記フレームには、前記駆動モジュールの前記駆動側ギアと噛み合うギアが設けられていることが好ましい。
【００１０】
また、前記カバーケースが前記吸水フィルターの下端に位置するとき、前記カバーケースの上端縁が前記水槽の水面より高いように構成されることが好ましい。
【００１１】
本考案は、上記フィルター装置を備えた加湿器をも提供する。
【考案の効果】
【００１２】
上記の加湿器によると、加湿器が稼動するときは、吸水フィルターが常に回転しながら水槽の水を吸収することができ、加湿器が稼動しないときは、カバーケースが設けられたことにより吸水フィルターと水槽の水とが接触しないように隔離することができる。したがって、止まっている吸水フィルターに含まれる水分を気化させることにより、吸水フィルターを乾燥させることができる。
【図面の簡単な説明】
【００１３】
【図１】本考案の実施形態に係るフィルター装置のを示す斜視透視図である。
【図２】図１の実施形態のフィルター装置において吸水フィルターユニットが停止状態になっていることを示す正面図である。
【図３】図１の実施形態のフィルター装置において吸水フィルターユニットが稼動状態になっていることを示す正面図である。
【考案を実施するための形態】
【００１４】
以下、添付された図面を参照しながら、本考案に係るフィルター装置の具体的な実施形態について詳細に説明する。
【００１５】
図１は、本考案に係るフィルター装置とこれを備えた加湿器９を示す斜視図である。
【００１６】
加湿器９の内部には、所定の水位まで貯水可能な水槽９１が設けられている。
【００１７】
図１及び図２に示すとおり、本考案のフィルター装置は、水槽９１の水を吸収して気化させることによって湿気を提供する吸水フィルターユニット２と、吸水フィルターユニット２を回転させるように駆動する駆動ユニット３とを備える。
【００１８】
吸水フィルターユニット２は、下端が常に水槽９１の水中に水没するように水槽９１の上方に配置され、かつ軸線Ｌを回転軸として回転可能に設けられる吸水フィルター２１と、吸水フィルター２１の一部を覆うように吸水フィルター２１に設けられるカバーケース２２と、吸水フィルター２１が回転するときにカバーケース２２の位置と対向するように吸水フィルター２１に設けられる磁石２３と、吸水フィルター２１を取り囲むように設けられるフレーム２４とを含む。
【００１９】
吸水フィルター２１は吸水性のある材料でメッシュ状に形成されたものであり、カバーケース２２及びフレーム２４は水通過不能な材料（防水材料）で構成されたものである。
【００２０】
本実施形態の吸水フィルターユニット２を軸線Ｌの方向に観察する場合、吸水フィルター２１は、円形（円盤状）に形成され、フレーム２４は吸水フィルター２１の円周を取り囲むように円環状に形成され、カバーケース２２は弓形に形成されている。
【００２１】
フレーム２４の外周面には、その外周面を一周するギア２４１（図１参照）が設けられている。
【００２２】
駆動ユニット３は、吸水フィルターユニット２の位置に応じて加湿器９の所定の位置に設けられる。駆動ユニット３は、吸水フィルター２１を軸線Ｌを回転軸として回転させるように駆動する駆動モジュール３１と、吸水フィルター２１に設けられた磁石２３を検知することができる磁気センサーである位置検出モジュール３２とを有する。
【００２３】
駆動モジュール３１は、吸水フィルター２１のフレーム２４に設けられるギア２４１と噛み合うことができる駆動側ギア３１１を有する。
【００２４】
加湿器９が稼動するとき、駆動ユニット３は駆動側ギア３１１を回転させ、ギア２４１は駆動側ギア３１１の連動により回転する。上述したとおり、吸水フィルター２１が軸線Ｌを回転軸として回転するとき、その下端は常に水槽９１に水没している。加湿器９の稼動が停止するとき、吸水フィルターユニット２は所定の時間回転し続ける。かつ、位置検出モジュール３２は、吸水フィルター２１の回転によってカバーケース２２が吸水フィルター２１の下端へ移動されることを検知したとき、駆動モジュール３１による駆動側ギア３１１の回転を止めるように構成されている。これにより、カバーケース２２が吸水フィルター２１の下端に位置するように吸水フィルター２１を所定の位置に止めることにより、カバーケース２２によって吸水フィルター２１と水槽９１内の水とを隔離することができる。
【００２５】
図２に示すとおり、カバーケース２２は、カバーケース２２が吸水フィルター２１の下端に位置するとき、カバーケース２２の上端縁が水槽９１の水面より高くなるように構成されている。したがって、カバーケース２２が吸水フィルター２１の下端に移動されるとき、カバーケース２２は、吸水フィルター２１と水槽９１内の水とが接触しないように隔離することができる。
【００２６】
加湿器９を再び起動するとき、吸水フィルター２１は回転によって水槽９１内の水に再び水没する。
【００２７】
上述したように構成されるフィルター装置によると、稼動が停止するとき吸水フィルター２１と水槽９１内の水とを隔離することができ、かつ止まっている吸水フィルター２１に含まれる水分を気化させることにより、吸水フィルター２１を乾燥させることができる。これにより、カビや細菌が発生することを防ぐとともに、常に濡れていることにより吸水フィルターが速く劣化することを抑制することができる。
【００２８】
上述したフィルター装置を備える加湿器によれば、吸水フィルター２１の清潔を保つことができるので、清潔な空気を提供することができ、かつ吸水フィルター２１を長く使用することができるので、加湿器の使用寿命を延ばすことができる。
【００２９】
以上、本考案の好ましい実施形態について説明してきたが、本考案はそれらに限定されるものではなく、その要旨を逸脱しない範囲の種々な変更があっても当然に本考案に含まれる。
【００３０】
例えば、本実施形態において、吸水フィルター２１の回転位置（即ちカバーケース２２の位置）を検出する手段として上述した磁気センサーと磁石を用いてきたが、カバーケース２２の位置を検知できる手段であれば、他のセンサー手段を用いてもよい。また、本実施形態において、磁石２３を吸水フィルター２１に設けたが、位置検出モジュール３２が検知可能あれば、磁石２３をフレーム２４に設けても構わない。更に、駆動モジュール３１が吸水フィルターユニット２を回転させる伝動駆動は、上述した歯車に限定されるものではなく、他の伝動手段を使っても構わない。
【産業上の利用可能性】
【００３１】
本考案に係るフィルター装置は、加湿機能を有する空気調和機（湿度調整器、空気清浄器など）の加湿用フィルターとして使用することができる。
【符号の説明】
【００３２】
２  吸水フィルターユニット
２１  吸水フィルター
２２  カバーケース
２３  磁石
２４  フレーム
２４１  ギア
３  駆動ユニット
３１  駆動モジュール
３１１  駆動側ギア
３２  位置検出モジュール
９  加湿器
９１  水槽
Ｌ  軸線
【図１】
0003193815.tif 000003
【図２】
0003193815.tif 000004
【図３】
0003193815.tif 000005